(57)【要約】【課題】スクイズローラ対を取り外すことなく、これらの洗浄を効率的に行うことができ、スクイズローラの洗浄スペースを別途必要としない現像処理装置を提供する。【解決手段】感光材料Ｆを圧着搬送して過剰な現像処理液Ａを取り除くスクイズローラ対２２ａ，２２ｂを備えた現像処理装置であって、スクイズローラ対２２ａ，２２ｂを洗浄する洗浄液Ｗの貯留、及び排出が可能な液槽４０と、洗浄液Ｗを給液する給液装置４１とを備え、液槽４０内の洗浄液Ｗの液面とスクイズローラ対２２ａ，２２ｂとが相対位置変更可能に構成されて、互いに圧接するスクイズローラ対２２ａ，２２ｂの少なくとも何れか一方のスクイズローラ２２ａ，２２ｂが、洗浄液Ｗに対して浸漬状態と非浸漬状態とに切り替え可能に構成され、浸漬状態でスクイズローラ対２２ａ，２２ｂが回転するように構成されている。【選択図】          図１
2005031220.tif 000002
【特許請求の範囲】
【請求項１】
現像処理液に対して浸漬して引き上げたシート状の感光材料を圧着搬送し、該感光材料に付着した過剰な現像処理液を取り除くスクイズローラ対を備えた現像処理装置であって、スクイズローラ対を洗浄する洗浄液の貯留、及び排出が可能な液槽と、該液槽に洗浄液を給液する給液装置とを備え、液槽内の洗浄液の液面とスクイズローラ対とが相対位置変更可能に構成され、該相対位置変更によって、互いに圧接状態にあるスクイズローラ対のうちの少なくとも何れか一方のスクイズローラが、洗浄液に対して浸漬状態と、非浸漬状態とに切り替え可能に構成され、前記浸漬状態でスクイズローラ対が回転するように構成されたことを特徴とする現像処理装置。
【請求項２】
スクイズローラ対は、前記浸漬状態から非浸漬状態になった状態で更に回転するように構成されてなる請求項１記載の現像処理装置。
【請求項３】
各スクイズローラは、軸線を略水平して上下に配されるとともに、前記給液装置は、洗浄液を所定の液位まで液槽に給液するように構成されてなり、前記液槽は、洗浄液が前記所定の液位に到達した状態で、下方側のスクイズローラが洗浄液に浸漬するように定位置に配されてなる請求項１又は２記載の現像処理装置。
【発明の詳細な説明】
【０００１】
【発明の属する技術分野】
本発明は、感光材料に現像処理を施す現像処理装置に関する。
【０００２】
【従来の技術】
従来から、フィルムや感光紙等の感光材料を現像する現像処理装置として、感光材料を現像処理液に浸漬して現像処理する現像処理部と、該現像処理部から搬送されてくる感光材料を乾燥処理する乾燥部とを備えたものがある。
【０００３】
前記現像処理部は、異なる種類の現像処理液（現像液、漂白液、定着液、安定液等）を貯留した複数の現像処理液槽と、各現像処理液槽の現像処理液に対して浸漬、及び引き上げを行うように、感光材料を搬送する複数組のローラ対で構成された搬送系とを備えている。
【０００４】
さらに、前記現像処理装置は、処理時間や品質等の低下を招く原因（乾燥時間の長期化、乾燥ムラの発生、現像処理液の成分の析出等の問題発生の原因）となる感光材料に付着する過剰な現像処理液を取り除くスクイズローラ対を備えている。スクイズローラ対は、乾燥部の上流側や各現像処理液槽間等に適宜設けられ、前記搬送系とともに現像処理部における感光材料の搬送経路を形成している。
【０００５】
前記スクイズローラ対は、外周面が吸水性を有する材料で構成され、感光材料を圧着搬送することで、該感光材料に付着した現像処理液を吸い取って、該感光材料から過剰な現像処理液を取り除く（除去する）ように構成されたものや、外周面が親水性を有する材料で構成され、感光材料を圧着搬送することで、該感光材料に付着した現像処理液を絞り出して、該感光材料から過剰な現像処理液を取り除くように構成されたもの等がある。
【０００６】
ところで、一日の作業が終了して現像処理液の除去に用いられたスクイズローラ対をそのまま放置すると、スクイズローラの外周面に付着した現像処理液の成分が結晶化（析出）してしまい、次の処理（翌日の作業）を開始する際に支障をきたすため、一日の処理が終了した後にスクイズローラを取り外し、該スクイズローラを水道水等の洗浄液に浸け置いて現像処理液を希釈乃至洗い落とし、次（翌日）の処理を円滑に開始できるようにしている。
【０００７】
【発明が解決しようとする課題】
しかしながら、前述の如く、スクイズローラを取り外して洗浄する作業は、日常的な作業であるため煩雑であり、また、スクイズローラを洗浄液に浸け置くスペースが必要となる。
【０００８】
そこで、本発明は、斯かる実情に鑑み、スクイズローラ対を取り外すことなく、これらの洗浄を効率的に行うことができ、スクイズローラの洗浄スペースを別途必要としない現像処理装置を提供することを課題とする。
【０００９】
【課題を解決するための手段】
本発明にかかる現像処理装置は、上記課題を解決すべくなされたものであり、請求項１記載の如く、現像処理液に対して浸漬して引き上げたシート状の感光材料を圧着搬送し、該感光材料に付着した過剰な現像処理液を取り除くスクイズローラ対を備えた現像処理装置であって、スクイズローラ対を洗浄する洗浄液の貯留、及び排出が可能な液槽と、該液槽に洗浄液を給液する給液装置とを備え、液槽内の洗浄液の液面とスクイズローラ対とが相対位置変更可能に構成され、該相対位置変更によって、互いに圧接状態にあるスクイズローラ対のうちの少なくとも何れか一方のスクイズローラが、洗浄液に対して浸漬状態と、非浸漬状態とに切り替え可能に構成され、前記浸漬状態でスクイズローラ対が回転するように構成されたことを特徴とする。なお、ここで「現像処理液」とは、感光材料の現像処理に用いられる液（現像液、漂白液、定着液、安定洗浄液等）の総称である。
【００１０】
上記構成の現像処理装置によれば、液槽内の洗浄液の液面とスクイズローラ対との相対位置変更によって、互いに圧接状態にあるスクイズローラ対のうちの少なくとも何れか一方のスクイズローラが、洗浄液に対して浸漬状態となる。そして、浸漬状態でスクイズローラ対が回転すると、浸漬状態にあるスクイズローラの非圧接部分を介して各スクイズローラの外周に洗浄液が付着し、スクイズローラ対の互いに圧接した部分で、外周に付着した現像処理液、及び洗浄液が順次絞り出さることになる。
【００１１】
これにより、洗浄液の付着と、洗浄液及び現像処理液の絞り出しとが各スクイズローラの周方向で連続的に行われ、スクイズローラに付着した現像処理液が希釈乃至洗い落とされることになる。そして、液槽内の洗浄液の液面とスクイズローラ対との相対位置変更によって、スクイズローラを非浸漬状態にすると、スクイズローラ対を乾燥させ得る状態にすることができる。
【００１２】
従って、本発明にかかる現像処理装置は、スクイズローラ対を取り外すことなく、各スクイズローラを洗浄することができるので、スクイズローラの洗浄を効率的に行うことができ、また、スクイズローラの洗浄スペースを別途確保する必要がないという優れた効果を奏することができる。
【００１３】
なお、液槽内の洗浄液の液面とスクイズローラ対との相対位置変更させる構成としては、液槽内にスクイズローラ対の一部若しくは全部を位置させ、液槽内に洗浄液を給液して液位が所定高さになった状態でスクイズローラが洗浄液に浸かるようにした構成、液槽とスクイズローラ対とを相対移動させ、スクイズローラが液槽に貯留された洗浄液に浸かるようにした構成等を採用することができる。
【００１４】
また、請求項２記載の如く、スクイズローラ対は、前記浸漬状態から非浸漬状態になった状態で更に回転するように構成されることが好ましい。このようにすることで、スクイズローラ同士の圧接で各スクイズローラに付着した洗浄水を全周に亘って絞り出すことができ、スクイズローラを乾燥させ易い状態にすることができる。
【００１５】
さらに、請求項３記載の如く、各スクイズローラは、軸線を略水平して上下に配されるとともに、前記給液装置は、洗浄液を所定の液位まで液槽に給液するように構成されてなり、前記液槽は、洗浄液が前記所定の液位に到達した状態で、下方側のスクイズローラが洗浄液に浸漬するように定位置に配された構成を採用することもできる。
【００１６】
このようにすれば、下方側のスクイズローラのみを洗浄液に浸けた状態（浸漬状態）でスクイズローラ対を回転させると、その回転に伴って、下方側のスクイズローラに付着した洗浄液がスクイズローラ対の互いの圧接位置から回転方向上流側で上方側のスクイズローラに付着し、その付着した洗浄液がスクイズローラ対の圧接位置で絞り出されることになる。
【００１７】
そして、スクイズローラ対を所定時間回転させることで、各スクイズローラに対する洗浄液の付着位置、及び絞り出し位置（圧接位置）が経時的に変位するので、下方側のスクイズローラに付着した洗浄液により各スクイズローラを全周に亘って洗浄することができる。従って、下方側のスクイズローラだけを洗浄液に浸けるだけでいいので、少量の洗浄液でスクイズローラ対を洗浄することができ、洗浄液を節約することができる。
【００１８】
また、液槽を定位置に配設し、給液装置から給液される洗浄液の液位の変化で下方側のスクイズローラが洗浄液に浸かるように構成されているので、液槽（液槽内の洗浄液の液面）とスクイズローラ対との相対位置変更させるための複雑な機構を必要とせず、簡易な構成にすることができる。
【００１９】
【発明の実施の形態】
以下、本発明の現像処理装置の一実施形態について、添付図面を参酌しつつ説明する。
【００２０】
本実施形態にかかる現像処理装置は、図１に示す如く、感光材料である帯状のフィルムＦがロール状に巻かれて収容されたカートリッジＣを装填するカートリッジ装填部１と、カートリッジ装填部１に装填されたカートリッジＣから引き出されたフィルムＦを現像処理液Ａに浸漬して現像処理する現像処理部２と、現像処理部２から搬送されてくるフィルムＦを乾燥させる乾燥部３とを備えている。
【００２１】
前記現像処理部２は、現像処理液Ａを貯留する複数の現像処理液槽２０，２０…と、各現像処理液槽２０，２０…の現像処理液Ａに対してフィルムＦを浸漬、及び引き上げを行うようにフィルムＦを搬送する複数組の第一搬送系２１，２１…とを備えている。さらに、該現像処理部２は、フィルムＦを圧着搬送することで、現像処理液槽２０，２０…内の現像処理液Ａに浸漬されてフィルムＦに付着した過剰な現像処理液Ａを取り除くスクイズローラ対２２ａ，２２ｂ，２２ａ，２２ｂ…を備えている。
【００２２】
各現像処理液槽２０，２０…は、横並びに配されており、異なる種類の現像処理液Ａ（現像液、定着液、漂白液、安定洗浄液）が貯留されている。
【００２３】
前記第一搬送系は２１，２１…、フィルムＦを搬送する複数組のローラ対２１ａ，２１ａ…と、該ローラ対２１ａ，２１ａ…で搬送されるフィルムＦを案内する案内体２１ｂ，２１ｂ…とを備えている。
【００２４】
前記複数組のローラ対２１ａ，２１ａ…は、現像処理液槽２０，２０…内の現像処理液ＡにフィルムＦを浸漬して引き上げるように、Ｕ字状の搬送経路を形成するように配されている。前記案内体２１ｂ、２１ｂ…は、ローラ対２１ａ，２１ａ…で搬送されるフィルムＦが前記搬送経路から離脱するのを防止するように構成されている。
【００２５】
前記スクイズローラ対２２ａ，２２ｂ…（一対のスクイズローラ２２ａ，２２ｂ）は、第一搬送系２１，２１…によって現像処理液槽２０，２０…から引き上げられて搬送されてくるフィルムＦを下流側の現像処理液槽２０，２０…、或いは乾燥部３に向けて搬送できるように、各現像処理液槽２０，２０…間、及び最下流の現像処理液槽２０と乾燥部３との間に設けられており、前記ローラ対２１ａ，２１ｂとともに連続したＳ字状の搬送経路を形成している。なお、本実施形態においては、各現像処理液槽２０，２０…間、及び最下流の現像処理液槽２０と乾燥部３との間に、スクイズローラ対２２ａ，２２ｂ，２２ａ，２２ｂが二組ずつ設けられている。
【００２６】
各スクイズローラ２２ａ，２２ｂは、外周面に吸水性を有する不織布（図示しない）が貼着されており、フィルムＦを圧着搬送することで、該フィルムＦに付着した過剰な現像処理液Ａを吸い取るように構成されている。
【００２７】
各スクイズローラ対２２ａ，２２ｂは、軸心を略水平にして上下に配され、互いに圧接した状態で設けられている。スクイズローラ対２２ａ，２２ｂのうちの下方側のスクイズローラ２２ａは、回転駆動するように構成され、上方側のスクイズローラ２２ｂは、回転自在に構成されている。これにより、スクイズローラ対２２ａ，２２ｂは、フィルムＦを圧着していない状態で、スクイズローラ２２ａ，２２ｂ同士の圧接抵抗により上方側のスクイズローラ２２ｂが下方側のスクイズローラ２２ａに対して従動回転するようになっている。従って、スクイズローラ２２ａ，２２ｂ間にフィルムＦが介在する場合には、下方側のスクイズローラ２２ａの回転がフィルムＦに伝達され、該フィルムＦが搬送されるとともに、該フィルムＦの移動に伴って上方側のスクイズローラ２２ｂに回転することになる。
【００２８】
前記乾燥部３は、現像処理部２から搬送されてきたフィルムＦを受け取り、さらに搬送方向下流側に搬送する第二搬送系３０と、該第二搬送系３０で搬送されるフィルムＦに対して熱風を吹き付け、該フィルムＦを乾燥させる熱風装置３１とを備えている。
【００２９】
さらに、該現像処理装置は、前記スクイズローラ対２２ａ，２２ｂ，２２ａ，２２ｂ…を洗浄する洗浄装置４を備えている。該洗浄装置４は、図２に示す如く、該スクイズローラ対２２ａ，２２ｂを洗浄する洗浄液である水道水Ｗ（以下、洗浄水という）を貯留する液槽４０と、該液槽４０に洗浄水Ｗを給液（給水）する給液装置４１とを備えている。
【００３０】
前記液槽４０は、上面が開口した箱状に形成されており、下方側のスクイズローラ２２ａの一部（本実施形態においてはスクイズローラ２２ａの軸線を基準にして下方側）が内部に介在するように定位置に配設されている。すなわち、該液槽４０は、前記給液装置４１によって洗浄水Ｗが給水され、該洗浄水Ｗの液面が所定の高さに到達した（洗浄水Ｗが所定の液位に到達した）際に、下方側にスクイズローラ２２ａが貯留された洗浄水Ｗに浸かるように配設されている。
【００３１】
また、液槽４０は、洗浄水Ｗの貯留及び排水（排出）を切り替える排出手段４２を備えており、該排出手段４２は、前記液槽４０の底部に流体的に接続された配管４２ａと、該配管４２ａでの洗浄水Ｗの流通、及び遮断が切り替え可能なバルブ機構４２ｂとを備えている。
【００３２】
前記配管４２ａは、樹脂製のフレキシブルパイプで構成されており、一端開口が前記液槽４０の底部に対して流体的に接続され、他端開口部が前記現像処理液槽２０，２０…の上方に配されており、液槽４０からの洗浄水Ｗを現像処理液槽２０，２０…内に注ぎ込まれるようになっている。
【００３３】
前記バルブ機構４２ｂは、前記配管４２ａの中間部に設けられており、配管４２ａ内に形成された流路の開閉を行うようになっている。該バルブ機構４２ｂは、電動バルブが採用されており、スクイズローラ対２２ａ，２２ｂの洗浄を行う際に、流路を閉じた状態にする一方で、フィルムＦの現像処理を行う際に、流路を開けた状態にするように設定されている。
【００３４】
前記給液装置４１は、洗浄水Ｗの水源に接続された一次側配管（図示しない）と、液槽４０に向けて洗浄水Ｗを供給可能に構成された二次側配管４１ａと、前記一次側配管及び二次側配管４１ａとを接続し、水源からの洗浄水Ｗの流通、及び遮断を行う開閉バルブ（図示しない）とで構成されている。
【００３５】
前記一次側配管は、現像処理液槽２０内の現像処理液Ａを希釈させるために現像処理液槽２０，２０に水道水を給水する希釈用配管（図示しない）を介して前記水源に接続されている。つまり、一次側配管は、希釈用配管から分岐された分岐配管である。
【００３６】
前記二次側配管４１ａは、スクイズローラ対２２ａ，２２ｂの上方に配され、下方に向けて洗浄水Ｗを吐出するノズル４１ｂを備えている。すなわち、二次側配管４１ａのノズル４１ｂは、吐出した洗浄水Ｗがスクイズローラ対２２ａ，２２ｂにかかった後、該洗浄水Ｗが液槽４０に供給できるように設けられている。
【００３７】
前記開閉バルブは、電動バルブが採用されており、フィルムＦの現像処理が行われている際に、一次側配管及び二次側配管４１ａで形成された給水流路を閉じた状態にする一方で、その日の現像処理が終わり、スクイズローラ対２２ａ，２２ｂを洗浄する際、すなわち、スクイズローラ対２２ａ，２２ｂ間にフィルムＦが介在せずにスクイズローラ２２ａ，２２ｂ同士が圧接した状態となった際に、前記給水流路を開けた状態にするように構成されている。
【００３８】
洗浄装置４は、以上構成からなり、一日の現像処理を終えてスクイズローラ対２２ａ，２２ｂを洗浄するには、まず前記バルブ機構４２ｂで流路を閉状態にし、その後に、開閉バルブが給水流路を開き、前記ノズル４１ｂから洗浄水Ｗを吐出させる。
【００３９】
そうすると、ノズル４１ｂからの洗浄水Ｗは、一旦スクイズローラ対２２ａ，２２ｂ、及びこれを支持するフレーム（図示しない）等の周辺にかかって液槽４０内に落ちることになる。なお、本実施形態にかかるスクイズローラ対２２ａ，２２ｂは、ノズル４１ｂから洗浄水Ｗが吐出される際にも回転するようになっている。これにより、スクイズローラ２２ａ，２２ｂの全周、及びその周辺に洗浄水Ｗがかかり、該スクイズローラ２２ａ，２２ｂの全周表面、及びその周辺が軽く洗われることになる。
【００４０】
そして、ノズル４１ｂから洗浄水Ｗを所定時間吐出させると、液槽４０内の洗浄水Ｗの液面が上がって（液槽４０内に洗浄水Ｗが溜まって）いき、これによって液槽４０内の洗浄水Ｗの液面とスクイズローラ対２２ａ，２２ｂとの相対位置が変更されることになる。そして、洗浄水Ｗが所定の液位に達した際に、下方側のスクイズローラ２２ａの一部が洗浄水Ｗに浸かった状態（浸漬状態）になり、開閉バルブが給水流路を閉じてノズル４１ｂからの洗浄水Ｗの吐出が停止される。なお、本実施形態において、洗浄水Ｗの液面が下方側にスクイズローラ２２ａの軸線近傍（前記所定の液位）に達した際に、開閉バルブが動作して給水流路を閉じるように構成されている。
【００４１】
そして、下方側のスクイズローラ２２ａを回転駆動させると、洗浄水Ｗに浸かった下方側のスクイズローラ２２ａにおける非圧接部分で洗浄水Ｗが吸い取られて上方側のスクイズローラ２２ｂ側に運ばれる。また、これと同時に、スクイズローラ２２ａ，２２ｂ同士の圧接位置よりも回転方向上流側で液槽４０内の洗浄水Ｗが上方側のスクイズローラ２２ｂに向けてかき上げられる。そうすると、下方側のスクイズローラ２２ａによって吸い取られた洗浄水Ｗ、及びかき上げられた洗浄水Ｗが、下方側のスクイズローラ２２ａとの圧接抵抗によって従動回転する上方側のスクイズローラ２２ｂに付着する。
【００４２】
そして、上方側のスクイズローラ２２ｂに付着した洗浄水Ｗは、該スクイズローラ２２ｂに一時的に吸い取られた後、スクイズローラ２２ａ，２２ｂ同士の圧接によって絞り出されることになり、スクイズローラ対２２ａ，２２ｂを所定時間（一分程度）回転させることで、洗浄液Ｗの付着、及び絞り出しが各スクイズローラ２２ａ、２２ｂの全周に亘って行われる。
【００４３】
そうすると、各スクイズローラ２２ａ，２２ｂに付着していた現像処理液Ａが徐々に希釈され、最終的には全てが洗い落とされる。なお、このスクイズローラ対２２ａ，２２ｂの回転時間は、現像処理液Ａの濃度や、スクイズローラ２２ａ，２２ｂの外周を構成する材質（吸水性の有無や、親水性の有無）、圧接力等の諸処条件を基に設定される。
【００４４】
そして、所定時間経過後にスクイズローラ対２２ａ，２２ｂの回転を停止し、前記バルブ機構４２ｂの動作によって流路を開放すると、液槽４０，４０…内の洗浄水Ｗが現像処理液槽２０，２０…に排出され、液槽４０内に洗浄水Ｗの液位が下がっていき、液槽４０内の洗浄水Ｗの液面とスクイズローラ対２２ａ，２２ｂとの相対位置が変更されることになる。そして、液槽４０内の洗浄水Ｗの液面が下方側のスクイズローラ２２ａよりも下方に位置してスクイズローラ２２ａが洗浄水Ｗに対して非浸漬状態になると、再度バルブ機構４２ｂによって流路が閉じられて液槽４０からの洗浄水Ｗの排出が停止される。
【００４５】
その後、スクイズローラ対２２ａ，２２ｂを所定時間回転させ、上述の如き圧接によって各スクイズローラ２２ａ，２２ｂに付着した洗浄水Ｗを絞り出し、スクイズローラ対２２ａ，２２ｂの洗浄が完了する。このように、液槽４０内の洗浄水Ｗに対する浸漬状態から非浸漬状態にしてスクイズローラ対２２ａ，２２ｂを回転させることで、翌日には各スクイズローラ２２ａ，２２ｂが略乾燥した状態、或いは完全に乾燥した状態となり、翌日の現像処理においてフィルムＦに付着した過剰な現像処理液Ａを効率的に吸い取る（取り除く）ことができるようになる。
【００４６】
なお、スクイズローラ２２ａが洗浄水Ｗに対して非浸漬状態になって前記バルブ機構４２ｂで流路を閉じた際に、液槽４０内に洗浄水Ｗが残るようにすれば、現像処理液槽２０，２０…内の現像処理液Ａを希釈させる必要があるときに、バルブ機構４２ｂによって流路を開くことで、スクイズローラ対２２ａ，２２ｂの洗浄に使用した洗浄水Ｗ（液槽４０に残った洗浄水Ｗ）を現像処理液の希釈用水として再利用することができ、前記現像処理液の希釈用水道水を節水することができる。
【００４７】
以上のように、上記構成の現像処理装置は、スクイズローラ対２２ａ，２２ｂを取り外すことなく、スクイズローラ対２２ａ，２２ｂを効率的に洗浄することができる。これにより、スクイズローラ対２２ａ，２２ｂを洗浄するためのスペースを別途用意する必要がない。
【００４８】
また、前記現像処理装置は、液槽４０内の洗浄水Ｗの液面とスクイズローラ対２２ａ，２２ｂとを相対位置変更させて、スクイズローラ２２ａを液槽４０内の洗浄水Ｗに対して浸漬状態と非浸漬状態とに切り替えるのを、給液装置４１による給水と、排出手段４２による排水とで行うよう構成されているので、複雑な機構を採用することなく簡易な構成でスクイズローラ２２ａを洗浄液Ｗに対して浸漬状態と非浸漬状態とに切り替えることができる。
【００４９】
さらに、通常スクイズローラ対２２ａ，２２ｂは互いに圧接しているため、単に洗浄水Ｗにスクイズローラ対２２ａ，２２ｂを浸漬するだけでは、各スクイズローラ２２ａ，２２ｂの圧接部分の洗浄を行うことができないが、前記現像処理装置によれば、上述の如く、給液装置４１から洗浄水Ｗを給水するとき、下方側のスクイズローラ２２ａが洗浄水Ｗに対して浸漬状態となったときに、スクイズローラ対２２ａ、２２ｂが回転するように構成されているので、洗浄水Ｗの付着箇所が随時移り変わり、各スクイズローラ２２ａ，２２ｂの全周に亘って洗浄することができる。
【００５０】
また、前記現像処理装置は、下方側のスクイズローラ２２ａのみを洗浄水Ｗに浸けるだけで、上方側のスクイズローラ２２ｂも洗浄できるように構成されているので、該スクイズローラ対２２ａ，２２ｂの洗浄に用いる洗浄水Ｗが少量となり、節水効果を得ることができる。また、スクイズローラ対２２ａ，２２ｂの洗浄に用いた洗浄水Ｗを現像処理液Ａの希釈用水として利用できるように洗浄装置４（排出手段４２）の配管４２ａ（排水経路）が配設されているので、現像処理装置全体で節水することができる。
【００５１】
さらに、前記現像処理装置は、給液装置４１の二次側配管４１ａが、スクイズローラ対２２ａ，２２ｂの上方に配設され、該二次側配管４１ａのノズル４１ｂを介してスクイズローラ対２２ａ，２２ｂに向けて洗浄水Ｗを吐出するように構成されているので、液槽４０に貯留した洗浄水Ｗでスクイズローラ対２２ａ，２２ｂを洗浄する前に、スクイズローラ対２２ａ，２２ｂ全体を予洗することができる。また、洗浄水Ｗがスクイズローラ対２２ａ，２２ｂのみならず、これらの周辺にもかかるように二次側配管４１ａにノズル４１ｂが設けられているので、スクイズローラ対２２ａ，２２ｂの周辺に対しても洗浄することができる。
【００５２】
また、前記現像処理装置は、洗浄後（下方側のスクイズローラが洗浄水に対して非浸漬状態となった後）に、下方側のスクイズローラ２２ａ（スクイズローラ対２２ａ，２２ｂ）を所定時間回転させるように構成されているので、洗浄によって付着した洗浄水Ｗを絞り出すことができ、翌日の作業開始時に乾燥状態にして現像処理液Ａを効率的に吸い取れる状態にすることができる。
【００５３】
尚、本発明の現像処理装置は、上記実施形態に限定されるものではなく、本発明の要旨を逸脱しない範囲内において種々変更を加え得ることは勿論である。
【００５４】
上記実施形態において、現像処理部２の現像処理液槽２０，２０…間、及び最下流の現像処理液槽２０と乾燥部３との間にスクイズローラ対２２ａ，２２ｂを配置するようにしたが、これに限定されるものではなく、スクイズローラ対２２ａ，２２ｂは、例えば、最下流の現像処理液槽２０と乾燥部３との間のみに配置するとともに、該スクイズローラ対２２ａ，２２ｂを上述の如く洗浄できるように洗浄装置４を配設するようにしてもよい。つまり、該スクイズローラ対２２ａ，２２ｂ、及び洗浄装置４は、フィルムＦ（感光材料）に付着した過剰な現像処理液Ａを取り除く必要のある箇所に、適宜必要に応じて設ければよい。
【００５５】
上記実施形態において、給液手段４１を構成する一次側配管を水源に接続し、水道水を洗浄液として二次側配管４１ａのノズル４１ｂから吐出させるようにしたが、これに限定されるものではなく、例えば、洗浄液を貯留するタンク、及びこのタンクに貯留した洗浄液をくみ上げるポンプを別途設けるとともに、前記一次側配管を該ポンプに接続し、該ポンプの駆動によってタンクに貯留した洗浄液を前記二次側配管４１ａのノズル４１ｂから吐出させるようにしてもよい。
【００５６】
また、上記実施形態において、液槽４０内の洗浄水Ｗを現像処理液槽２０，２０…に排出するようにしたが、これに限定されるものではなく、例えば、液槽４０内の洗浄水Ｗを外部、或いは別途設けたタンクに排出するようにしてもよい。
【００５７】
上記実施形態において、一方（下方側）のスクイズローラ２２ａを回転駆動するように構成し、他方（上方側）のスクイズローラ２２ｂが従動回転するように構成したが、これに限定されるものではなく、他方のスクイズローラ２２ｂを回転駆動して、一方のスクイズローラ２２ａが従動回転するように構成したり、各スクイズローラ２２ａ，２２ｂが同期を取って回転駆動するように構成したりしてもよい。
【００５８】
上記実施形態において、現像処理部２の現像処理液槽２０，２０…間、及び最下流の現像処理液槽２０と乾燥部３との間に、スクイズローラ対２２ａ，２２ｂを二組ずつ設けたが、これに限定されるものではなく、スクイズローラ対２２ａ，２２ｂは、一組以上設ければよい。この場合、液槽４０は、各組のスクイズローラ２２ａが洗浄水Ｗに浸漬可能に構成するとともに配設することは勿論のことである。
【００５９】
また、上記実施形態において、給液装置４１からの給水をスクイズローラ対２２ａ，２２ｂの上方から行うようにしたが、これに限定されるものではなく、例えば、液槽４０の壁面、或いは底面に前記二次側配管４１ａを流体的に接続し、液槽４０に洗浄水Ｗを貯めるようにしてもよい。このようにしても、給排水によって液槽４０内での液位が変化するので、洗浄液Ｗの液面とスクイズローラ対２２ａ，２２ｂとの相対位置を変更することができ、スクイズローラ２２ａを洗浄水Ｗに対して浸漬状態と、非浸漬状態とに切り替えることができる。ただし、スクイズローラ対２２ａ，２２ｂの周辺についても洗浄を行う場合には、上述の如く、スクイズローラ対２２ａ，２２ｂの上方から洗浄水Ｗを給水することが好ましい。
【００６０】
上記実施形態において、各スクイズローラ２２ａ，２２ｂの外周面に不織布を貼着し、吸水性を得るようにしたが、これに限定されるものではなく、各スクイズローラ２２ａ，２２ｂの外周面を非吸水性の材料で構成したり、何れか一方のスクイズローラ２２ａ，２２ｂの外周面を吸水性を持たせたものにし、他方のスクイズローラ２２ａ，２２ｂの外周面を吸水性のない（非吸水性の）ものにしてもよい。ただし、外周面を非吸水性の材料で構成した場合には、下方側のスクイズローラ２２ａに付着する洗浄水Ｗの付着量が少量となるため、洗浄時間（回転時間）を長時間に設定するか、或いは、スクイズローラ対２２ａ，２２ｂの回転速度を高速にして下方側のスクイズローラ２２ａで洗浄水Ｗをかき上げる量を多くして上方側のスクイズローラ２２ｂに付着する洗浄水の付着量を増やすことが好ましい。
【００６１】
さらに、上記実施形態において、スクイズローラ対２２ａ，２２ｂを洗浄した後に、所定時間スクイズローラ対２２ａ，２２ｂを回転させて脱水するようにしたが、これに限定されるものではない。すなわち、上記実施形態にかかるスクイズローラ２２ａ，２２ｂは、外周面に吸水性を有するため、脱水することで自然乾燥できる時間を短縮できるようにしたが、例えば、スクイズローラ２２ａ，２２ｂの外周面を非吸水性の材質で構成した場合には、スクイズローラ２２ａ，２２ｂに付着した洗浄水は自由落下で落ちるので、脱水することなくそのまま放置してもよい。
【００６２】
上記実施形態において、液槽４０内に洗浄水Ｗの液面とスクイズローラ２２ａとの相対位置を洗浄水Ｗの給排水による洗浄水Ｗの液位変化によって変更させるようにしたが、これに限定されず、例えば、スクイズローラ対２２ａ，２２ｂと液槽４０との相対位置が変更できるように、スクイズローラ対２２ａ，２２ｂと液槽４０とを相対移動させる移動機構を設け、洗浄時（スクイズローラ対２２ａ，２２ｂ間にフィルムＦが介在しない時）に、互いを接近方向に移動させてスクイズローラ対２２ａ，２２ｂ全体が液槽４０内に収容されて洗浄水Ｗに浸かるようにし、非洗浄時に、互いを離間方向に移動させて、フィルムＦの搬送ができるように、スクイズローラ対２２ａ，２２ｂが液槽４０から出て、スクイズローラ対２２ａ，２２ｂが洗浄水に浸からないようにしてもよい。
【００６３】
上記実施形態において、下方側のスクイズローラ２２ａのみが液槽４０に貯留した洗浄水Ｗに対して浸漬状態になるようにしたが、これに限定されず、スクイズローラ対２２ａ，２２ｂ全体が洗浄水Ｗに対して浸漬状態になるようにしてもよい。このように、スクイズローラ対２２ａ，２２ｂ全体を洗浄水Ｗに浸漬させるには、スクイズローラ対２２ａ，２２ｂ全体を液槽４０内に入り込んだ態様にしなければならないので、非浸漬状態でフィルムＦ（感光材料）を搬送できるように、スクイズローラ対２２ａ，２２ｂと液槽４０とを相対移動させる移動機構を設けて、スクイズローラ対２２ａ，２２ｂと液槽４０内の洗浄水Ｗの液面との相対位置を変更できるようにすることは勿論のことである。
【００６４】
また、上記実施形態において、各スクイズローラ２２ａ，２２ｂを軸線略水平にして上下に配設したが、これに限定されるものではなく、各スクイズローラ２２ａ，２２ｂを軸線略水平にして横並びに配置してもよい。この場合においても、スクイズローラ対２２ａ，２２ｂと液槽４０とを相対移動させる移動機構を設けて、スクイズローラ対２２ａ，２２ｂと液槽４０内の洗浄水Ｗの液面との相対位置を変更できるようにすることは勿論のことである。
【００６５】
上記実施形態において、フィルムＦを現像する現像処理装置について説明したが、これに限定されるものではなく、感光紙等の感光材料を現像する現像処理装置であってもよい。すなわち、感光紙を現像処理する現像処理装置は、感光紙を現像処理液に浸漬する現像処理部と、現像処理液の付着した感光紙を乾燥させる乾燥部とを備えており、上記構成のフィルムを現像処理する現像処理装置と基本構成が略同一であるので、前記スクイズローラ対２２ａ，２２ｂ及び洗浄装置４を設けることができる。この場合、スクイズローラ対２２ａ，２２ｂを乾燥部と現像処理部との間に配設することが好ましく、前記洗浄装置４（液槽４０、及び給液装置４１）は、スクイズローラ対２２ａ，２２ｂの配置に対応して設けることは勿論のことである。
【００６６】
【発明の効果】
以上のように、本発明にかかる現像処理装置によれば、現像処理液に対して浸漬して引き上げたシート状の感光材料を圧着搬送し、該感光材料に付着した過剰な現像処理液を取り除くスクイズローラ対を備えた現像処理装置であって、スクイズローラ対を洗浄する洗浄液の貯留、及び排出が可能な液槽と、該液槽に洗浄液を給液する給液装置とを備え、液槽内の洗浄液の液面とスクイズローラ対とが相対位置変更可能に構成され、該相対位置変更によって、互いに圧接状態にあるスクイズローラ対のうちの少なくとも何れか一方のスクイズローラが、洗浄液に対して浸漬状態と、非浸漬状態とに切り替え可能に構成され、前記浸漬状態でスクイズローラ対が回転するように構成されているので、スクイズローラ対を取り外すことなく、これらの洗浄を効率的に行うことができ、スクイズローラの洗浄スペースを別途必要としないという優れた効果を奏し得る。
【図面の簡単な説明】
【図１】本発明の一実施形態にかかる現像処理装置の概略図を示す。
【図２】同実施形態にかかるスクイズローラ対を含む洗浄装置の概略図を示す。
【符号の説明】
１…カートリッジ装填部、２…現像処理部、３…乾燥部、４…洗浄装置、２０…現像処理液槽、２１…第一搬送系、２１ａ…ローラ対、２１ｂ…案内体、２２ａ…スクイズローラ、２２ｂ…スクイズローラ、３０…第二搬送系、３１…熱風装置、４０…液槽、４１…給液装置、４１ａ…二次側配管、４１ｂ…ノズル、４２…排出手段、４２ａ…配管、４２ｂ…バルブ機構、Ｃ…カートリッジ、Ｆ…フィルム（感光材料）、Ａ…現像処理液、Ｗ…洗浄水（洗浄液）
【図１】
2005031220.tif 000003
【図２】
2005031220.tif 000004